(57)【要約】【課題】室内での保管時や使用時に消費者の好みや室内空間の雰囲気に合わせて製品のデザインを選択可能でありながら、防除対象の害虫を確認できるデザインに容易に変更可能な容器入り製品を提供する。【解決手段】容器に害虫防除製剤を封入した容器入り製品１００であって、防除対象の害虫の図柄１２ａが印刷された容器本体１０と、容器本体１０に貼着された再剥離性のラベル２０と、害虫の図柄が印刷されており、ラベル２０が貼着された容器本体１０を被覆するフィルム３０とを備え、ラベル２０は、害虫の図柄１２ａを被覆するように貼着されており、害虫の図柄が印刷されていない、又は容器本体における害虫の図柄１２ａより視認性を抑えた害虫の図柄が印刷されている。【選択図】図２
2020075741.tif 000002
【特許請求の範囲】
【請求項１】
容器に害虫防除製剤を封入した容器入り製品であって、
防除対象の害虫の図柄が印刷された容器本体と、
前記容器本体に貼着された再剥離性のラベルと、
前記害虫の図柄が印刷されており、前記ラベルが貼着された前記容器本体を被覆するフィルムと
を備え、
前記ラベルは、前記害虫の図柄を被覆するように貼着されており、前記害虫の図柄が印刷されていない、又は前記容器本体における前記害虫の図柄より視認性を抑えた害虫の図柄が印刷されている容器入り製品。
【請求項２】
前記ラベルは、前記容器本体において前記ラベルに被覆されていない領域における図柄と連続する図柄が印刷されている請求項１に記載の容器入り製品。
【請求項３】
前記容器本体には、製品表示情報が印刷されており、
前記ラベルは、前記製品表示情報を被覆しないように貼着されている請求項１又は２に記載の容器入り製品。
【請求項４】
前記ラベルは、夫々に異なる図柄が印刷されている複数の層を有し、
前記複数の層において、表層よりも前記容器本体側に配された内側層には、前記容器本体における前記害虫の図柄より視認性を抑えた害虫の図柄が印刷されており、前記表層には、前記害虫の図柄が印刷されていない、又は前記内側層における前記害虫の図柄より視認性を抑えた害虫の図柄が印刷されている請求項１〜３の何れか一項に記載の容器入り製品。
【発明の詳細な説明】
【技術分野】
【０００１】
本発明は、容器に害虫防除製剤を封入した容器入り製品に関する。
【背景技術】
【０００２】
エアゾール製品、スプレー製品、ボトル製品、缶製品などの容器入り製品は、スーパーマーケットやドラッグストア等の店頭では、消費者の注目を惹くように派手で目立つデザインとすることが望ましい場合がある。一方、容器入り製品は、室内で使用されることが多いため、購入後に室内空間に置いたときには、違和感のないデザインが好まれる傾向がある。
【０００３】
従来の容器入り製品として、表面がシュリンクフィルムで覆われた缶があった（例えば、特許文献１を参照）。特許文献１に記載されている缶は、その表面に色や絵柄が付されているものであるが、開封前は缶表面がシュリンクフィルムで覆われているため、色や絵柄は隠れて見えないようになっている。そして、消費者が購入後に缶を覆っているシュリンクフィルムを剥がせば、缶に付されている色や絵柄が露出し、缶のデザインを変更することができる。
【先行技術文献】
【特許文献】
【０００４】
【特許文献１】特開平３−１７６３６０号公報
【発明の概要】
【発明が解決しようとする課題】
【０００５】
容器に害虫防除製剤を封入した容器入り製品には、ゴキブリ類、蚊類、及びハエ類などの様々な種類の害虫を防除対象とした製品がある。消費者が防除対象の害虫が異なる製品を追加で購入した場合、それまで室内空間に置いたときに違和感のないデザインで使用していた容器入り製品であっても、防除対象の害虫を容易に確認できるデザインに変更することが望ましい場面もある。
【０００６】
特許文献１の包装缶は、缶を覆っているシュリンクフィルムを剥がすことでデザインを変更するものであるため、購入後にシュリンクフィルムを剥がした後に、缶のデザインを再度容易に変更できるものではなかった。
【０００７】
本発明は、上記問題点に鑑みてなされたものであり、室内での保管時や使用時に消費者の好みや室内空間の雰囲気に合わせて製品のデザインを選択可能でありながら、防除対象の害虫を確認できるデザインに容易に変更可能な容器入り製品を提供することを目的とする。
【課題を解決するための手段】
【０００８】
上記課題を解決するための本発明に係る容器入り製品の特徴構成は、
容器に害虫防除製剤を封入した容器入り製品であって、
防除対象の害虫の図柄が印刷された容器本体と、
前記容器本体に貼着された再剥離性のラベルと、
前記害虫の図柄が印刷されており、前記ラベルが貼着された前記容器本体を被覆するフィルムと
を備え、
前記ラベルは、前記害虫の図柄を被覆するように貼着されており、前記害虫の図柄が印刷されていない、又は前記容器本体における前記害虫の図柄より視認性を抑えた害虫の図柄が印刷されている。
【０００９】
本構成の容器入り製品によれば、製品の販売時においては、フィルムに印刷されている防除対象の害虫の図柄により防除対象の害虫を容易に確認することができるため、消費者に商品購入のための判断材料を提供することができる。一方、室内での製品の保管時や使用時においては、消費者は、好みや室内空間の雰囲気に応じてフィルムを除去することで容器のデザインを選択することができる。その際、容器本体に印刷された害虫の図柄はラベルにより被覆されているため、フィルムを除去しただけであれば、容器本体を室内空間に置いたときに、消費者に防除対象の害虫を強く想起させることを防ぐことができる。さらに、消費者が防除対象の害虫が異なる製品を追加で購入した場合等は、ラベルを剥離することで容器本体に印刷された害虫の図柄を露出させることができるため、それまで室内空間に置いたときに違和感のないデザインで使用していた容器入り製品のデザインを、防除対象の害虫を確認できるデザインに容易に変更することができる。
【００１０】
本発明に係る容器入り製品において、
前記ラベルは、前記容器本体において前記ラベルに被覆されていない領域における図柄と連続する図柄が印刷されていることが好ましい。
【００１１】
本構成の容器入り製品によれば、容器本体においてラベルに被覆されていない領域における図柄と連続する図柄がラベルに印刷されているため、フィルムを剥離したときに容器本体の図柄とラベルの図柄とが一体化したデザインとなり、製品のデザイン性を高めることができる。
【００１２】
本発明に係る容器入り製品において、
前記容器本体には、製品表示情報が印刷されており、
前記ラベルは、前記製品表示情報を被覆しないように貼着されていることが好ましい。
【００１３】
本構成の容器入り製品によれば、ラベルが貼着された状態で、容器本体に印刷されている製品表示情報を視認することができる。一方、製品表示情報が容器本体に印刷されているため、ラベルの剥離とともに消失することがなく、常に表示しておくことができる。
【００１４】
本発明に係る容器入り製品において、
前記ラベルは、夫々に異なる図柄が印刷されている複数の層を有し、
前記複数の層において、表層よりも前記容器本体側に配された内側層には、前記容器本体における前記害虫の図柄より視認性を抑えた害虫の図柄が印刷されており、前記表層には、前記害虫の図柄が印刷されていない、又は前記内側層における前記害虫の図柄より視認性を抑えた害虫の図柄が印刷されていることが好ましい。
【００１５】
本構成の容器入り製品によれば、ラベルの表層には、害虫の図柄が印刷されていない、又はラベルの内側層における害虫の図柄より視認性を抑えた害虫の図柄が印刷されているため、消費者に防除対象の害虫を強く想起させることを防ぐことができる。また、ラベルの内側層には、容器本体における害虫の図柄より視認性を抑えた害虫の図柄が印刷されているため、消費者は、嫌悪感を抱くことなく受け入れ易いサイズの害虫の図柄が表示されたデザインを選択することができる。
【図面の簡単な説明】
【００１６】
【図１】図１は、本発明に係る容器入り製品の斜視図である。
【図２】図２は、容器入り製品の側面の分解展開図である。
【図３】図３は、構成例１に係る殺虫エアゾール製品の側面の分解展開図である。
【図４】図４は、構成例２に係る殺虫エアゾール製品の側面の分解展開図である。
【図５】図５は、構成例３に係る殺虫エアゾール製品の側面の分解展開図である。
【図６】図６は、構成例４に係る殺虫エアゾール製品の側面の分解展開図である。
【図７】図７は、構成例５に係る殺虫エアゾール製品の側面の分解展開図である。
【発明を実施するための形態】
【００１７】
以下、本発明の容器入り製品に関する実施形態について説明する。ただし、本発明は、以下に説明する実施形態や図面に記載される構成に限定されることを意図しない。
【００１８】
＜容器入り製品＞
図１は、本発明に係る容器入り製品の斜視図である。図１（ａ）は、フィルムに包装されている状態を示し、図１（ｂ）は、フィルムを除去した状態を示す。図２は、容器入り製品の側面の分解展開図である。本発明の容器入り製品は、例えば、エアゾール製品、スプレー製品、ボトル製品、缶製品などが挙げられるが、図１では、容器入り製品として、ゴキブリ用の殺虫エアゾール製品１００を例示している。殺虫エアゾール製品１００は、その内部に封入された殺虫剤、防虫剤、及び忌避剤等の害虫防除製剤を噴射剤とともに害虫に向けて噴射することで害虫を殺虫するものであり、容器本体であるエアゾール缶１０と、エアゾール缶１０に貼着されたラベル２０と、ラベル２０が貼着されたエアゾール缶１０を被覆するフィルム３０とを備える。
【００１９】
〔容器本体〕
容器本体であるエアゾール缶１０は、害虫防除製剤が貯留される貯留部としての耐圧容器１０ａと、製剤を放出する放出部としての噴射ボタン１０ｂとを備える。図２に示すように、エアゾール缶１０（耐圧容器１０ａ）には、製品表示情報１１が印刷されている。製品表示情報１１とは、商品名、当該製品の特長、成分、効能、使用方法、使用上の注意、製造者情報、製品識別情報（バーコード、ＱＲコード（登録商標）等）などの情報である。製品表示情報１１は、当該製品の購入者が必要とする情報であるため、常に視認可能な状態とされている。製品表示情報１１は、図２に示すように、エアゾール缶１０の高さ方向に延伸する垂線Ｙに沿うように印刷されていることが好ましい。これは、後述するフィルム３０の位置合わせを容易にするためである。
【００２０】
エアゾール缶１０において、製品表示情報１１が印刷されていない領域には、防除対象の害虫であるゴキブリの図柄１２ａを含む図柄等表示情報１２が印刷されている。図柄等表示情報１２には、ゴキブリの図柄１２ａに加えて、主に図柄や模様に関する情報（本実施形態の場合、ジグザグ状の幾何学模様）が含まれているが、図柄や模様以外に文字などの情報（本実施形態の場合、製造者情報）が含まれていてもよい。図柄等表示情報１２は、室内空間の雰囲気を乱さないように落ち着いたデザインに構成されることが好ましい。
【００２１】
〔ラベル〕
ラベル２０は、樹脂、繊維、紙等を素材としたシート状基材の裏面に粘着剤が塗布されたものであり、図２に示すように、エアゾール缶１０に印刷されたゴキブリの図柄１２ａを被覆しつつ図柄等表示情報１２の他の部分を露出させるように、貼着位置１３に貼り付けられる。粘着剤には、粘着力を抑えることで再剥離性を有するものが用いられ、糊残りをほとんど生じさせることなくエアゾール缶１０からラベル２０を容易に剥離させることができる。貼着位置１３は、ラベル２０が製品表示情報１１を被覆しない位置に設定されており、消費者は、ラベル２０が貼着された状態であっても、エアゾール缶１０側に印刷されている製品表示情報１１を視認することができる。ラベル２０の表面には、防除対象の害虫であるゴキブリの図柄が印刷されておらず、貼着位置１３の周囲の図柄と連続する図柄（本実施形態の場合、ジグザグ状の幾何学模様）が印刷されている。
【００２２】
〔フィルム〕
フィルム３０は、ラベル２０が貼り付けられたエアゾール缶１０を被覆するものであり、例えば、エアゾール缶１０に被せた状態で加熱すると、フィルム全体が収縮してエアゾール缶１０の表面に密着するシュリンクフィルムを使用することができる。フィルム３０の素材としては、ポリスチレン（ＰＳ）、ポリ塩化ビニル（ＰＶＣ）、ポリエチレン（ＰＥ）、ポリエチレンテレフタレート（ＰＥＴ）、ポリプロピレン（ＰＰ）などの熱可塑性樹脂が用いられる。
【００２３】
図２に示すように、フィルム３０には、防除対処の害虫であるゴキブリの図柄を含む広告情報３１が印刷されている。広告情報３１とは、当該製品の販売時に消費者の注目を惹かせるための情報であり、ゴキブリの図柄の他に、商品名、図柄、模様などの情報が含まれる。広告情報３１には、これらの情報の他に、エアゾール缶１０に印刷されている製品表示情報１１と同じ情報（すなわち、商品名、製品の特長、成分、効能、使用方法、使用上の注意、製造者情報、製品識別情報など）が含まれていてもよい。なお、フィルム３０の広告情報３１が印刷されている領域は、図柄や模様等が全体に印刷されている場合は不透明となるが、当該領域の一部に印刷を行うことで透明ないし半透明の領域を残しておくことも可能である。
【００２４】
フィルム３０において、広告情報３１が印刷されていない領域は、透明ないし半透明な透過領域３２として形成されている。透過領域３２は、エアゾール缶１０の表面がフィルム３０で被覆されている状態で、当該フィルム３０を通してエアゾール缶１０側に印刷されている製品表示情報１１を視認できる位置に設けられる。このような形態でフィルム３０に透過領域３２を設ければ、エアゾール缶１０の製品表示情報１１を確実に視認することができる。
【００２５】
フィルム３０の透過領域３２は、エアゾール缶１０の製品表示情報１１が印刷されている領域よりも大きく構成することも可能である。例えば、図２において、フィルム３０の透過領域３２の幅Ｄ１を、エアゾール缶１０の製品表示情報１１の幅Ｄ２より若干大きく構成すると、エアゾール缶１０をフィルム３０で被覆するときに多少の位置ずれが生じても、エアゾール缶１０側の製品表示情報１１をフィルム３０の透過領域３２を介して確実に視認することができる。
【００２６】
以上の構成により、殺虫エアゾール製品１００は、製品の販売時においては、フィルム３０に印刷されている広告情報３１により消費者の注目を惹くことができるとともに、広告情報３１に含まれるゴキブリの図柄により防除対象となる害虫を容易に確認することができるため、消費者に商品購入のための判断材料を提供することができる。一方、製品の使用時及び室内での製品の保管時や使用時においては、消費者は、好みや室内空間の雰囲気に応じてフィルム３０を剥離することで、殺虫エアゾール製品１００のデザインを選択することができる。その際、容器本体であるエアゾール缶１０には、ゴキブリの図柄１２ａが印刷された位置にラベル２０が貼着されており、ラベル２０には、ゴキブリの図柄が印刷されていないため、フィルム３０を除去して、ラベル２０が貼着されたエアゾール缶１０を室内空間に置いたときに、消費者に防除対象の害虫を強く想起させることを防ぐことができる。また、ラベル２０には、貼着位置１３の周囲のジグザグ模様の図柄と連続するように、ジグザグ模様の図柄が印刷されているため、エアゾール缶１０とラベル２０とが一体化したデザインとなる。
【００２７】
フィルム３０を除去した後に、さらに、殺虫エアゾール製品１００のデザインを変更したい場合には、エアゾール缶１０からラベル２０を除去し、エアゾール缶１０に印刷されているゴキブリの図柄１２ａを出現させることができる。これにより、それまで室内空間に調和するように選択していた殺虫エアゾール製品１００のデザインを、防除対象の害虫を容易に確認できるデザインに変更することができる。そのため、例えば、消費者が防除対象の害虫が異なる製品を追加で購入し、それまでラベル２０を貼着させたまま使用していた殺虫エアゾール製品１００を他の容器入り製品と並べて保管することになった場合にも、ラベル２０を除去してゴキブリの図柄１２ａが露出するデザインに変更することで、並べて保管される他の製品と防除対象の害虫を混同することを防ぐことができる。なお、エアゾール缶１０に印刷されているゴキブリの図柄１２ａを目立たないように小さくしたり、色を薄くしたりすれば、ラベル２０を除去しても、消費者に対し過度の嫌悪感を抱かせ難いものとなる。
【００２８】
＜構成例＞
次に、本発明の容器入り製品の構成例を説明する。なお、これらの構成例は、図１及び図２に示した殺虫エアゾール製品１００の構成に基づくものであるが、スプレー製品、ボトル製品、缶製品などの他の製品においても適用可能である。
【００２９】
〔構成例１〕
図３は、構成例１に係る殺虫エアゾール製品の側面の分解展開図である。構成例１では、フィルム３０に印刷されている広告情報３１には、防除対象の害虫であるゴキブリの図柄、並びに商品名及び製造者情報が含まれている。エアゾール缶１０に印刷されている図柄等表示情報１２には、ゴキブリの図柄１２ａ、ジグザグ状の幾何学模様の図柄、及びフィルム３０に印刷されている広告情報３１に含まれる文字と同様の文字（製造者情報）とが含まれている。エアゾール缶１０に印刷されているゴキブリの図柄１２ａは、貼着位置１３に貼着されたラベル２０により被覆されている。ラベル２０には、ゴキブリの図柄と、貼着位置１３に貼着された状態で図柄等表示情報１２の図柄と連続するようにジグザグ状の幾何学模様の図柄とが印刷されている。ラベル２０に印刷されているゴキブリの図柄は、エアゾール缶１０に印刷されているゴキブリの図柄１２ａ、及び広告情報３１に含まれるゴキブリの図柄よりも視認性を抑えたるために、ゴキブリの図柄１２ａ、及び広告情報３１に含まれるゴキブリの図柄よりも小さいサイズに構成されている。ラベル２０に印刷されているゴキブリの図柄のサイズは、エアゾール缶１０に印刷されているゴキブリの図柄１２ａ、及び広告情報３１に含まれるゴキブリの図柄に対して面積比で２５％以下であることが好ましい。構成例１では、フィルム３０を除去すると、広告情報３１に含まれるゴキブリの図柄が消失するとともに、ラベル２０に印刷されている小さいサイズのゴキブリの図柄が出現することになる。ラベル２０に印刷されているゴキブリの図柄は、サイズが小さいためあまり目立たず、受け入れ易いデザインとなる。さらに、ラベル２０を剥離すると、ラベル２０に印刷されているゴキブリの図柄が消失するとともに、ゴキブリの図柄１２ａが出現することになる。ゴキブリの図柄１２ａはサイズが大きいため視認性が高く、防除対象の害虫を容易に確認できるデザインとなる。従って、消費者は、好みや室内空間の雰囲気に応じてフィルム３０を剥離し、調和した環境で殺虫エアゾール製品を使用しつつ、その後、必要に応じて、防除対象の害虫を容易に確認できるデザインに変更して殺虫エアゾール製品を使用することができる。なお、ラベル２０に印刷されているゴキブリの図柄は、ゴキブリの図柄１２ａより視認性を抑えたものであればよく、例えば、ゴキブリの図柄１２ａより明度及び／又は彩度が小さい色調のゴキブリの図柄を用いてもよい。
【００３０】
〔構成例２〕
図４は、構成例２に係る殺虫エアゾール製品の側面の分解展開図である。構成例２では、フィルム３０に印刷されている広告情報３１には、害虫であるゴキブリの図柄、並びに商品名及び製造者情報が含まれている。エアゾール缶１０に印刷されている図柄等表示情報１２には、ゴキブリの図柄１２ａ、ジグザグ状の幾何学模様の図柄、及びフィルム３０に印刷されている広告情報３１に含まれる文字と同様の文字（製造者情報）とが含まれている。エアゾール缶１０に印刷されているゴキブリの図柄１２ａは、貼着位置１３に貼着されたラベル２０により被覆されている。ラベル２０は、エアゾール缶１０に直接貼着された第二層２０ｂ（内側層）と、再剥離性の粘着剤により第二層２０ｂに重ねて貼着された第一層２０ａ（表層）とを有する。第一層２０ａには、ゴキブリの図柄が印刷されておらず、貼着位置１３に貼着された状態で図柄等表示情報１２の図柄と連続するようにジグザグ状の幾何学模様の図柄が印刷されている。第二層２０ｂには、ゴキブリの図柄と、貼着位置１３に貼着された状態で図柄等表示情報１２の図柄と連続するようにジグザグ状の幾何学模様の図柄とが印刷されている。第二層２０ｂに印刷されているゴキブリの図柄は、エアゾール缶１０に印刷されているゴキブリの図柄１２ａよりも視認性を抑えたるために、ゴキブリの図柄１２ａよりも小さいサイズに構成されている。構成例２では、フィルム３０を除去すると、広告情報３１に含まれるゴキブリの図柄が消失するとともに、ラベル２０の第一層２０ａ、及び図柄等表示情報１２のジグザグ柄が出現することになる。ラベル２０の第一層２０ａ、及び図柄等表示情報１２にはゴキブリの図柄が印刷されていないため、消費者に防除対象の害虫を強く想起させることがなく、調和した環境で殺虫エアゾール製品を使用することができる。さらに、構成例２では、ラベル２０の第一層２０ａを剥離したり、エアゾール缶１０からラベル２０自体を剥離したりすると、第二層２０ｂに印刷されている小さいサイズのゴキブリの図柄や、図柄等表示情報１２に含まれる大きいサイズのゴキブリの図柄１２ａが出現することになる。ラベル２０に印刷されているゴキブリの図柄は、サイズが小さいためあまり目立たず、受け入れ易いデザインとなり、ゴキブリの図柄１２ａはサイズが大きいため視認性が高く、防除対象の害虫を容易に確認できるデザインとなる。従って、消費者は、好みや室内空間の雰囲気に応じてフィルム３０を剥離し、調和した環境で殺虫エアゾール製品を使用しつつ、その後、必要に応じて、防除対象の害虫を容易に確認できるデザインに変更して殺虫エアゾール製品を使用することができる。
【００３１】
〔構成例３〕
図５は、構成例３に係る殺虫エアゾール製品の側面の分解展開図である。構成例３では、フィルム３０に印刷されている広告情報３１には、害虫であるゴキブリの図柄、並びに商品名及び製造者情報が含まれている。エアゾール缶１０に印刷されている図柄等表示情報１２には、ゴキブリの図柄１２ａ、ジグザグ状の幾何学模様の図柄、及びフィルム３０に印刷されている広告情報３１に含まれる文字と同様の文字（製造者情報）とが含まれている。エアゾール缶１０に印刷されているゴキブリの図柄１２ａは、貼着位置１３に貼着されたラベル２０により被覆されている。ラベル２０は、エアゾール缶１０に直接貼着された第二層２０ｂと、再剥離性の粘着剤により第二層２０ｂに重ねて貼着された第一層２０ａとを有する。第一層２０ａ及び第二層２０ｂには、ゴキブリの図柄と、貼着位置１３に貼着された状態で図柄等表示情報１２の図柄と連続するようにジグザグ状の幾何学模様の図柄とが印刷されている。ここで、第一層２０ａに印刷されているゴキブリの図柄は、第二層２０ｂに印刷されているゴキブリの図柄より視認性を抑えるために、第二層２０ｂに印刷されているゴキブリの図柄より小さいサイズに構成されている。さらに、第二層２０ｂに印刷されているゴキブリの図柄は、エアゾール缶１０に印刷されているゴキブリの図柄１２ａより視認性を抑えるために、ゴキブリの図柄１２ａより小さいサイズに構成されている。構成例３では、フィルム３０を除去すると、広告情報３１に含まれるゴキブリの図柄が消失するとともに、第一層２０ａに印刷されている小さいサイズのゴキブリの図柄が出現し、さらに、ラベル２０の第一層２０ａを剥離したり、エアゾール缶１０からラベル２０自体を剥離したりすると、第二層２０ｂに印刷されている中サイズのゴキブリの図柄や、図柄等表示情報１２に含まれる大きいサイズのゴキブリの図柄１２ａが出現することになる。従って、消費者は、好みや室内空間の雰囲気に応じてフィルム３０、ラベル２０の第一層２０ａ、又はラベル２０自体を剥離し、嫌悪感を抱くことなく受け入れ易いサイズのゴキブリの図柄が表示されたデザインを選択することができる。
【００３２】
〔構成例４〕
図６は、構成例４に係る殺虫エアゾール製品の側面の分解展開図である。構成例４では、フィルム３０に印刷されている広告情報３１には、害虫であるゴキブリの図柄、並びに商品名及び製造者情報が含まれている。エアゾール缶１０に印刷されている図柄等表示情報１２には、ゴキブリの図柄１２ａ、水玉の模様の図柄、及びフィルム３０に印刷されている広告情報３１に含まれる文字と同様の文字（製造者情報）とが含まれている。エアゾール缶１０に印刷されているゴキブリの図柄１２ａは、貼着位置１３に貼着されたラベル２０により被覆されている。ラベル２０には、ゴキブリの図柄が印刷されておらず、水玉の模様の図柄が印刷されている。ラベル２０に印刷された水玉の模様の図柄は、ラベル２０が貼着位置１３に貼着された状態でエアゾール缶１０に印刷されている図柄等表示情報１２との間で一つの水玉（円）を形作るような分割された水玉を含むものではないが、図柄等表示情報１２における水玉の模様の繰り返しパターンの一部を切り出したものであるため、貼着位置１３の周囲の図柄と連続する図柄となっている。このため、構成例４では、フィルム３０を除去すると、広告情報３１に含まれるゴキブリの図柄が消失するとともに、ラベル２０及び図柄等表示情報１２が一体化した水玉の模様が出現することになる。ラベル２０にはゴキブリの図柄が印刷されておらず、図柄等表示情報１２に含まれるゴキブリの図柄１２ａはラベル２０により被覆されているため、消費者に防除対象の害虫を強く想起させることがなく、調和した環境で殺虫エアゾール製品を使用することができる。さらに、ラベル２０を剥離すると、図柄等表示情報１２に含まれるゴキブリの図柄１２ａが出現することになる。従って、消費者は、好みや室内空間の雰囲気に応じてフィルム３０を剥離し、調和した環境で殺虫エアゾール製品を使用しつつ、その後、必要に応じて、防除対象の害虫を容易に確認できるデザインに変更して殺虫エアゾール製品を使用することができる。
【００３３】
〔構成例５〕
図７は、構成例５に係る殺虫エアゾール製品の側面の分解展開図である。構成例５では、フィルム３０に印刷されている広告情報３１には、害虫であるゴキブリの図柄、並びに商品名及び製造者情報が含まれている。エアゾール缶１０に印刷されている図柄等表示情報１２には、ゴキブリの図柄が含まれておらず、ジグザグ状の幾何学模様の図柄、及びフィルム３０に印刷されている広告情報３１に含まれる文字と同様の文字（製造者情報）が含まれている。エアゾール缶１０には、貼着位置１３にラベル２０が貼着されている。ラベル２０には、ゴキブリの図柄と、貼着位置１３に貼着された状態で図柄等表示情報１２の図柄と連続するようにジグザグ状の幾何学模様の図柄とが印刷されている。ラベル２０に印刷されているゴキブリの図柄は、広告情報３１に含まれるゴキブリの図柄よりも視認性を抑えたるために、広告情報３１に含まれるゴキブリの図柄よりも小さいサイズに構成されている。このため、構成例１では、フィルム３０を除去すると、広告情報３１に含まれるゴキブリの図柄が消失するとともに、ラベル２０に印刷されている小さいサイズのゴキブリの図柄が出現することになる。ラベル２０に印刷されているゴキブリの図柄は、サイズが小さいためあまり目立たず、受け入れ易いデザインとなる。さらに、ラベル２０を剥離すると、ラベル２０に印刷されているゴキブリの図柄が消失することになる。従って、消費者は、構成例５の殺虫エアゾール製品を、防除対象の害虫が異なる他の製品と並べて保管する場合に、フィルム３０を剥離して防除対象の害虫を確認可能でありながら受け入れ易いデザインとし、その後、防除対象の害虫が異なる他の製品が先に空になり破棄した場合等は、好みや室内空間の雰囲気に応じてラベル２０を剥離することで防除対象の害虫を強く想起させることがないデザインに容易に変更して、調和した環境で殺虫エアゾール製品を使用することができる。
【００３４】
＜別実施形態＞
本発明の容器入り製品は、室内での保管時や使用時に消費者の好みや室内空間の雰囲気に合わせて製品のデザインを選択可能でありながら、防除対象の害虫を容易に確認できるデザインに容易に変更できるという本発明の趣旨を逸脱しない限り、様々な改変が可能である。以下、そのような改変例を別実施形態として説明する。
【００３５】
〔別実施形態１〕
容器入り製品１００において、ラベル２０の第一層２０ａと第二層２０ｂとは、同じサイズで形成されていても、異なるサイズで形成されていてもよい。例えば、エアゾール缶１０に直接貼着される第二層２０ｂよりも、第二層２０ｂの上に貼着される第一層２０ａを小さく形成することで、第一層２０ａを剥離するときに、誤って第二層２０ｂまで剥離してしまうことを防ぐことができる。
【００３６】
〔別実施形態２〕
容器入り製品１００において、ラベル２０は、三層以上の層を有するように構成されていてもよい。ラベル２０が三層以上の層を有する場合、例えば、表層側からエアゾール缶１０側へ順にサイズを大きくして各層に害虫の図柄を印刷することで、防除対象の害虫を確認可能でありながら、消費者が嫌悪感を抱くことなく受け入れることのできるデザインをより適切に選択可能なものにすることができる。
【００３７】
〔別実施形態３〕
容器入り製品１００において、ラベル２０は、エアゾール缶１０に印刷されているゴキブリの図柄１２ａを視認できないように被覆するものであれば、貼着位置１３より広い範囲を被覆するように形成されていてもよい。その場合、エアゾール缶１０に貼り付けた状態でゴキブリの図柄１２ａに重なる領域は図柄を印刷して不透明とし、他の領域は、透明ないし半透明な透過領域として形成されていてもよい。
【産業上の利用可能性】
【００３８】
本発明は、容器に害虫防除製剤を封入したエアゾール製品、スプレー製品、ボトル製品、缶製品などの容器入り製品に利用可能である。
【符号の説明】
【００３９】
１０                        エアゾール缶（容器本体）
１１                        製品表示情報
１２ａ                      害虫の図柄
２０                        ラベル
２１                        第一層（表層）
２２                        第二層（内側層）
３０                        フィルム
【図１】
2020075741.tif 000003
【図２】
2020075741.tif 000004
【図３】
2020075741.tif 000005
【図４】
2020075741.tif 000006
【図５】
2020075741.tif 000007
【図６】
2020075741.tif 000008
【図７】
2020075741.tif 000009